(57)【要約】【課題】グループ管理された画像について、異なるグループに属する画像を簡単かつ効率良く対比表示させることのできる表示制御装置を提供する。【解決手段】グループ管理部１０１は、撮影画像をグループに分類して管理する。表示制御部１０２は、撮影条件に基づく順番で縮小画像が配列される画像列を前記グループ毎に形成し、この形成した画像列を複数グループ分並べて表示させ、１のグループに対するスクロール指示に対応して、指定された１のグループについてのみスクロールを行わせるグループ別スクロール処理、または全てのグループについてスクロールを行わせる全体スクロール処理、またはスクロール移動される当該１のグループの画像と他のグループの画像の表示位置を撮影条件で揃えるように他のグループのスクロールを連動して行わせる連動スクロール処理、のいずれか選択された処理を実行する。【選択図】      図２
2010252386.tif 000002
【特許請求の範囲】
【請求項１】
撮影画像をグループに分類して管理するグループ管理部と、
撮影条件に基づく順番で縮小画像が配列される画像列を前記グループ毎に形成し、この形成した画像列を複数グループ分並べて表示させ、指示に応じて、この複数の画像列の表示をスクロールさせるように制御する表示制御部と、
を具備し、
前記表示制御部は、１のグループに対するスクロール指示に対応して、指定された１のグループについてのみスクロールを行わせるグループ別スクロール処理、または全てのグループについてスクロールを行わせる全体スクロール処理、またはスクロール移動される当該１のグループの画像と他のグループの画像の表示位置を撮影条件で揃えるように他のグループのスクロールを連動して行わせる連動スクロール処理、のいずれか選択された処理を実行する
ことを特徴とする表示制御装置。
【請求項２】
前記表示制御部は、前記連動スクロール処理が選択された場合には、前記複数の画像列の中で指定されたグループの１の画像を基準画像とし、この基準画像の属するグループ以外の他のグループの画像列の表示を、前記基準画像の撮影条件に対応する撮影条件を有する他のグループの画像の表示位置を前記基準画像の表示位置に揃えるべくスクロールさせるように切り替え制御することを特徴とする請求項１記載の表示制御装置。
【請求項３】
前記表示制御部は、各画像の撮影日時を前記撮影条件とすることを特徴とする請求項２載の表示制御装置。
【請求項４】
前記表示制御部は、画面上でそのグループの最上部に表示されている画像を前記基準画像とすることを特徴とする請求項２記載の表示制御装置。
【請求項５】
撮影画像をグループに分類して管理するグループ管理部と、
複数グループの各画像を並べて表示させ、指示に応じて、当該並んで表示される各グループの画像を前記グループ毎に撮影条件に基づく順番で画像をスクロールさせるように切り替え制御する表示制御部と、
を具備し、
前記表示制御部は、前記複数のグループの中で指定されたグループの画像を基準画像とし、前記基準画像の撮影条件に対応する撮影条件を有する他のグループの画像が当該基準画像に並んで表示されるように、当該他のグループの画像をスクロールさせるように切り替え制御する
ことを特徴とする表示制御装置。
【請求項６】
請求項１乃至５のいずれか１項に記載の表示制御装置を搭載したことを特徴とするカメラ。
【発明の詳細な説明】
【技術分野】
【０００１】
この発明は、グループ別に管理される画像や音楽曲等の検索性を向上させるための表示制御技術に関する。
【背景技術】
【０００２】
デジタルカメラ等の画像機器において、記録媒体に記録された画像を効率的に検索させる方法として、例えば４行４列の計１６枚の縮小画像を一つの単位として表示させるいわゆるサムネイル画像表示が良く知られている。また、記録されている撮影画像には、撮影日時データが付帯されており、内部では、この撮影日時データに基づいてファイル管理されている。サムネイル画像の表示も、この撮影日時の順番で行われており、希望の画像の検索は、かかるサムネイル画像を順次表示させながら行われていた。
【０００３】
しかしながら、最近の記録媒体の大容量化に伴って、記録画像を撮影日時でシーケンシャルにのみ管理するだけでは、効率よい検索ができないことが問題になっている。
【０００４】
これを解決するための方法として、記録画像をグループに分けて管理する方法が提案されている。例えば、画像データが記録された記録手段から読み出した画像データを、同一の画像処理を施す単位であるグループに自動で分類し、分類された各々のグループから選択した画像データの縮小画像を作成してグループ毎に表示させたり、縮小画像が所属するグループを複数の画像データをもつグループと単一の画像データをもつグループとに識別して表示するような画像処理装置が提案されている（例えば特許文献１等参照）。
【０００５】
また、同一の連続撮影モードの撮影処理により得られ、グループ化された複数の画像データをメモリにて複数記憶させ、画面構成部は、少なくとも２以上のグループの画像データを同一画面上において一覧表示するための表示データを生成し、表示制御部は、当該表示データを画面表示部にて表示させる画像表示装置も提案されている（例えば特許文献２等参照）。
【先行技術文献】
【特許文献】
【０００６】
【特許文献１】特開２００２−３４２７４３号公報
【特許文献２】特開２００５−１１７１８２号公報
【発明の概要】
【発明が解決しようとする課題】
【０００７】
ところで、この特許文献１では、専ら撮影された画像を撮影日時等を判断材料にして自動的にグループ化する方法が提案されているが、このグループ化された画像の表示については、同じグループの画像を重ね合わせてサムネイル表示させる方法が提案されているのみであり、異なるグループ間の画像同士の表示については特に提案されていない。
【０００８】
また、特許文献２では、２以上のグループ化されたサムネイル画像のスライドショー表示が提案されている。しかしながら、ここでは、異なるグループに属する画像が同時に表示されるが、表示される画像はスライドショーで一定間隔で切替えられて表示されるのみなので、異なるグループに属する画像同士を簡単かつ効率良く比較できるような表示は行うことができない。
【０００９】
この発明は、このような事情を考慮してなされたものであり、グループ管理された画像について、異なるグループに属する画像同士を簡単かつ効率良く対比表示させることのできる表示制御装置等を提供することを目的とする。
【課題を解決するための手段】
【００１０】
前述の目的を達成するために、この発明の表示制御装置は、撮影画像をグループに分類して管理するグループ管理部と、撮影条件に基づく順番で縮小画像が配列される画像列を前記グループ毎に形成し、この形成した画像列を複数グループ分並べて表示させ、指示に応じて、この複数の画像列の表示をスクロールさせるように制御する表示制御部と、を具備し、前記表示制御部は、１のグループに対するスクロール指示に対応して、指定された１のグループについてのみスクロールを行わせるグループ別スクロール処理、または全てのグループについてスクロールを行わせる全体スクロール処理、またはスクロール移動される当該１のグループの画像と他のグループの画像の表示位置を撮影条件で揃えるように他のグループのスクロールを連動して行わせる連動スクロール処理、のいずれか選択された処理を実行することを特徴とする。
【００１１】
また、この発明の表示制御装置は、撮影画像をグループに分類して管理するグループ管理部と、複数グループの各画像を並べて表示させ、指示に応じて、当該並んで表示される各グループの画像を前記グループ毎に撮影条件に基づく順番で画像をスクロールさせるように切り替え制御する表示制御部と、を具備し、前記表示制御部は、前記複数のグループの中で指定されたグループの画像を基準画像とし、前記基準画像の撮影条件に対応する撮影条件を有する他のグループの画像が当該基準画像に並んで表示されるように、当該他のグループの画像をスクロールさせるように切り替え制御することを特徴とする。
【発明の効果】
【００１２】
この発明によれば、グループ管理された画像について、異なるグループに属する画像同士を簡単かつ効率良く対比表示させることのできる表示制御装置等を提供することができる。
【図面の簡単な説明】
【００１３】
【図１】本発明の第１実施形態に係るデジタルカメラの背面図。
【図２】同第１実施形態のカメラの構成を示すブロック図。
【図３】同第１実施形態のカメラによる画像保存メモリのファイル管理構成図。
【図４】同第１実施形態のカメラの自動スクロールを説明するための自動スクロール前の表示画面例を示す図。
【図５】同第１実施形態のカメラの自動スクロールを説明するための自動スクロール後の表示画面例を示す図。
【図６】同第１実施形態のカメラの再生モード時のメインフローチャート。
【図７】同第１実施形態のカメラの（再生モード時における）グループサムネイル表示処理の詳細な手順を示すフローチャート。
【図８】同第１実施形態のカメラの（グループサムネイル表示処理中の）連動スクロール処理の詳細な手順を示すフローチャート。
【図９】同第１実施形態のカメラの自動スクロールを説明するための自動スクロール前の表示画面例を示す図（第１の変形例）。
【図１０】同第１実施形態のカメラの自動スクロールを説明するための自動スクロール後の表示画面例を示す図（第１の変形例）。
【図１１】同第１実施形態のカメラの自動スクロールを説明するための自動スクロール前の表示画面例を示す図（第２の変形例）。
【図１２】同第１実施形態のカメラの自動スクロールを説明するための自動スクロール後の表示画面例を示す図（第２の変形例）。
【図１３】同第１実施形態のカメラの自動スクロールを説明するための自動スクロール前の表示画面例を示す図（第３の変形例）。
【図１４】同第１実施形態のカメラの自動スクロールを説明するための自動スクロール後の表示画面例を示す図（第３の変形例）。
【図１５】同第２実施形態の音楽再生装置の構成を示すブロック図。
【図１６】同第２実施形態の音楽再生装置の自動スクロールを説明するための自動スクロール前の表示画面例を示す図。
【図１７】同第２実施形態の音楽再生装置の自動スクロールを説明するための自動スクロール後の表示画面例を示す図。
【図１８】同第２実施形態の音楽再生装置のグループ曲リスト表示処理のメインフローチャート。
【図１９】同第２実施形態の音楽再生装置の（グループ曲リスト表示処理中の）連動スクロール処理の詳細な手順を示すフローチャート。
【発明を実施するための形態】
【００１４】
以下、図面を参照してこの発明の実施形態について説明する。
【００１５】
（第１実施形態）
まず、この発明の第１実施形態について説明する。図１は、この発明の第１実施形態に係る表示制御装置の背面図である。この表示制御装置は、デジタルカメラ１として実現されている。
【００１６】
図１に示すように、カメラ１の背面には、表示部２として、ＬＣＤ（liquid crystal display）の表示面が配置されると共に、モードダイヤル３、上下キー４ａおよび左右キー４ｂからなるＸＹ操作キー４、ＯＫキー５、選択ボタン６、テレボタン７ａ、ワイドボタン７ｂ、メニューボタン８などの操作部材が配置されている。また、その上面には、レリースボタン９が設けられている。
【００１７】
モードダイヤル３は、カメラ１の動作モードを設定するためのものである。このカメラ１は、画像を撮影する撮影モードと、撮影した画像を再生する再生モードとを少なくとも有しており、図１に示されるモードダイヤル３の状態は、再生モードを設定した場合の状態である。
【００１８】
ＸＹ操作キー４は、表示部２に縦方向に配列された複数の選択肢の中からいずれかを選択したり（上下キー４ａ）、横方向に配列された複数の選択肢の中からいずれかを選択する（左右キー４ｂ）ためのものである。ＯＫキー５は、このＸＹ操作キー４によって選択された状態にある選択肢の選択を確定させるためのものである。
【００１９】
また、このＸＹ操作キー４が縦方向または横方向に配列された複数の選択肢の中からいずれかを選択するものであるのに対し、選択ボタン６は、例えばその押下毎に巡回的に入れ替わり提示される複数の選択肢の中からいずれかを選択するものである。
【００２０】
テレボタン７ａおよびワイドボタン７ｂは、レンズを望遠方向または広角方向に駆動指示させるためのものである。メニュボタン８は、例えば動作環境設定を行うためのメニュー等を表示させる際に用いられるものである。そして、レリースボタン９は、いわゆるモニター画として表示部２に表示されている被写体像の画像データを記録したい場合に、その旨を指示するためのものである。
【００２１】
図２は、このカメラ１の構成を示すブロック図である。
【００２２】
レンズ１１を通過した被写体光が撮像素子１２に入射すると、その撮像面上に被写体像が結像される。この撮像素子１２の露光や読み出し等の各種制御は、撮像部１３によって行われ、この撮像部１３により、撮像素子１２から出力される画像信号がデジタル信号に変換される。このデジタル信号は、画像バッファメモリ１４を媒介させて画像処理部１５に引き渡され、ＩＳＯ感度設定、オートホワイトバランス、輝度／色信号生成、ガンマ処理等が施されて所定フォーマットのカラー画像信号に変換される。このカラー画像信号は表示処理部１６に転送され、モニター画として背面の表示部２に表示される。
【００２３】
また、レリースボタン９が押下されたタイミングで撮影が行われ、画像処理部１５で生成されるカラー画像信号が圧縮伸長部１７に取り込まれ、圧縮符号化が施されて画像保存メモリ１８に撮影画像として記録される。画像保存メモリ１８に記録された撮像画像は、再生時には圧縮伸長部１７によって伸長復号化が施された後、表示処理部１６に供給されて背面の表示部２に表示される。
【００２４】
以上のようなカメラ１の動作は、ＣＰＵ１９によって統合的に制御されており、ＲＯＭ２０には、このＣＰＵ１９の制御手順を記述した各種プログラムや、これらのプログラムで使用される各種データが格納される。また、このＣＰＵ１９に対しては、操作部２１からの制御信号が供給される。操作部２１は、図１に示したモードダイヤル３、ＸＹ操作キー４、ＯＫキー５、選択ボタン６、テレボタン７ａ、ワイドボタン７ｂ、メニューボタン８、レリースボタン９などの操作を検知して通知するものである。
【００２５】
図３は、画像保存メモリ１８のファイル管理構成図である。図３に示すように、画像保存メモリ１８には、最上段をルートディレクトリとし、その下段にフォルダを置き、各フォルダにファイル（画像データ）を収納するといった階層構造で撮影画像が記録される。また、「アルバム管理フォルダ」という名前のフォルダは、異なるフォルダに分かれて記録された複数の撮影画像を同一のアルバムに属するものとして取り扱うための情報を格納するフォルダであり、１つのアルバムについて１つのテキストファイル（アルバムテキストｎ）が収納される。ここでいうアルバムとは、撮影者が後に撮影画像の管理や検索が容易になるように、撮影画像を任意のカテゴリに分けて格納するための入れ物をいう。このテキストファイル内には、各アルバムに属する撮影画像それぞれの画像保存メモリ１８上での格納場所を示すパス情報が羅列されている。
【００２６】
つまり、このカメラ１では、画像保存メモリ１８に格納された撮影画像をフォルダ毎またはアルバム毎のグループ単位に取り扱うことができ、このグループを管理するための処理部としてグループ管理部１０１を備え、また、当該グループ管理のための各種情報がＲＯＭ２０に格納される。グループ管理部１０１は、ＲＯＭ２０に格納されたプログラムを読み込んで実行制御するＣＰＵ１９が該当する。
【００２７】
次に、このようにグループ単位で取り扱い可能に画像保存メモリ１８に記録された撮影画像を効率的に検索するために本カメラ１が実行する表示制御について説明する。この表示制御は、表示制御部１０２により実行されるものであり、表示制御部１０２は、ＲＯＭ２０に格納されたプログラムを読み込んで実行制御するＣＰＵ１９が該当する。
【００２８】
表示制御部１０２は、前述のようにグループとして管理される撮影画像の縮小画像、いわゆるサムネイル画像からなる画像列を複数グループ分並べて表示し、これらをユーザの操作に応答して切り替える機能を有している。図４は、フォルダ毎のグループ単位に画像列が並べられた画面の表示例である。図４の例では、「folder.01」〜「folder.04」の４つのグループそれぞれの縮小画像からなる画像列が並べられ、そのうち、「folder.02」の画像列が選択された状態にある。このグループの選択は、左右キー４ｂで行われ、例えば選択グループを右に移動させ続けると、左端の「folder.01」があたかも画面外に押し出されて右端に「folder.05」が現れるような巡回的な表示切り替えが行われる。以下、このような操作をスクロールと称することがある。
【００２９】
「folder.02」が選択グループである状態では、表示制御部１０２は、その画像列の中で表示中の縮小画像のうち、最上部に位置する縮小画像を基準画像とする。そして、この基準画像の撮影日時を基準として、表示制御部１０２は、選択グループ以外の他のグループの画像列の表示制御についても併せて実行する。
【００３０】
ここで、選択グループ「folder.02」の画像列を上下キー４ａの操作で１画像分上方向にスクロールさせた場合を考える。つまり、「picture.2-1」から「picture.2-2」へと基準画像が切り替わる操作が行われた場合である。
【００３１】
「picture.2-1」の撮影日時は２００５年４月１日であり、一方、「picture.2-2」の撮影日時は２００５年４月５日である。そして、表示制御部１０２は、この基準とする撮影日時の切り替わりに対応した表示制御を実行する。より具体的に説明すると、表示制御部１０２は、選択グループ以外の他のグループの画像列の最上部に、この基準画像の撮影日時以降の撮影日時の縮小画像が位置するように自動スクロールを実行する。図４中、太線で囲まれた縮小画像が２００５年４月５日に撮影された画像であり、図５は、この自動スクロール後の画面の表示例である。
【００３２】
図５に示すように、選択グループ「folder.02」の１画像分の上方向へのスクロールに対して、「folder.01」では３画像分の上方向へのスクロールが行われ、「folder.03」では４画像分の上方向へのスクロールが行われている。また、「folder.04」では全くスクロールが行われていない。そして、この一見すると無秩序にも考えられる自動スクロールにより、新たに基準画像となった「picture.2-1」の撮影日時である２００５年４月５日を先頭とした画像列が各グループで揃って表示されることになる。なお、「folder.01」、「folder.03」、「folder.04」のいずれかで、２００５年４月５日に該当する画像がない場合には、その日以降で最もその日に近い画像が並ぶように表示させる。
【００３３】
このように、表示制御部１０２は、選択グループについて行われたスクロールのスクロール幅（画像数）ではなく、新たに基準画像となる画像の撮影日時に基づき、他のグループについての自動スクロールを行うので、ユーザは、複数のグループの画像を時間軸で揃えながら効率的に検索できることになる。
【００３４】
図６乃至図８は、本カメラ１の再生モード時における表示制御に関する動作手順を示すフローチャートである。図６には、再生モード時のメインフローが示されている。
【００３５】
モードボタン３の操作で再生モードに設定されると、表示制御部１０２は、まず、初期状態として、撮影画像を１つずつ全画面表示していく１コマ表示処理を開始する（ステップＡ１）。次に、表示制御部１０２は、縮小画像を複数同時に表示していくサムネイル表示に移行する指示が行われたかどうかを調べ（ステップＡ２）、行われていなければ（ステップＡ２のＮＯ）、そのまま、１コマ表示処理を継続する（ステップＡ３）。このサムネイル表示指示は、例えばワイドボタン７ｂを押下することで実施する。
【００３６】
一方、サムネイル表示指示が行われると（ステップＡ２のＹＥＳ）、表示制御部１０２は、続いて、前述のように複数グループ分の画像列を並べて表示するグループサムネイル表示が指示されていないかを調べ（ステップＡ４）、行われていなければ（ステップＡ４のＮＯ）、各縮小画像を例えばマトリックス状に撮影日時順で配置していく通常サムネイル表示処理を実行する（ステップＡ５）。このグループサムネイル表示指示は、例えばワイドボタン７ｂの再度の押下操作によって実施する。
【００３７】
そして、このグループサムネイル表示指示が行われると（ステップＡ４のＹＥＳ）、表示制御部１０２は、図７にその詳細な手順が示されるグループサムネイル表示処理を実行する（ステップＡ６）。
【００３８】
グループサムネイル表示処理に移行すると、表示制御部１０２は、まず、スクロールの態様としての初期状態として、上下キー４ａの操作に応じて複数のグループの画像列全体を均等にスクロールさせる全体スクロール処理を設定する（ステップＢ１）。次に、表示制御部１０２は、上下キー４ａの操作対象をいずれかのグループに絞るグループ別移動に切換える指示が行われたかどうかを調べ（ステップＢ２）、行われていれば（ステップＢ２のＹＥＳ）、選択グループの画像列のみを上下キー４ａの操作に応じてスクロールさせるグループ別スクロール処理を実行する（ステップＢ５）。このグループ別移動指示は、例えば選択ボタン６を押下することで実施する。
【００３９】
一方、グループ別移動に切換える指示が行わていなければ（ステップＢ２のＮＯ）、表示制御部１０２は、続いて、上下キー４ａの操作対象となる選択グループのスクロールと連動させて他のグループを自動スクロールさせるグループ連動移動に切換える指示が行われたかどうかを調べ（ステップＢ４）、行われていなければ（ステップＢ４のＮＯ）、全体スクロール処理を継続する（ステップＢ３）。
【００４０】
そして、グループ連動移動に切換える指示が行われると（ステップＢ４のＹＥＳ）、表示制御部１０２は、図８にその詳細な手順が示される連動スクロール処理を実行する（ステップＢ６）。このグループ連動移動指示は、例えば選択ボタン６の２回の押下操作によって実施する。
【００４１】
連動スクロール処理において、表示制御部１０２は、まず、例えば先頭から所定数のグループの画像列を並べた初期表示を行い（ステップＣ１）、左右キー４ｂの操作が行われたら（ステップＣ２のＹＥＳ）、選択グループを変更する（ステップＣ３）。一方、上下キー４ａの操作が行われたら（ステップＣ４のＹＥＳ）、選択グループの画像列についてのスクロールを実行する（ステップＣ５）。
【００４２】
この選択グループの画像列のスクロール後、表示制御部１０２は、現在の動作環境設定が自動切替になっているかどうかを調べ（ステップＣ６）、なっていれば（ステップＣ６のＹＥＳ）、続いて、他のグループの画像列を自動スクロールするためのステップＣ７〜ステップＣ１１の処理を即時的に実行する。この自動切替の有無は、メニューボタン８の押下時に表示されるメニューに沿って設定することができる。
【００４３】
この自動スクロールを行うために、表示制御部１０２は、まず、選択グループの画像列中の基準画像の日付を読み出し（ステップＣ７）、この日付を自動スクロールのための基準日付に決定する（ステップＣ８）、そして、表示制御部１０２は、この基準日付に基づいて他のグループで表示対象とすべき画像を決定し（ステップＣ９）、決定した画像を読み出して（ステップＣ１０）、この読み出した画像群からなる他のグループの画像列を表示する（ステップＣ１１）。これにより、選択グループのスクロールに連動した他のグループの自動スクロールが実施されることになる。なお、選択グループの表示切換と他のグループの表示切換のタイミングを同時に行うようにしても当然良い。
【００４４】
一方、現在の動作環境設定が自動切替となっていなければ（ステップＣ６のＮＯ）、表示制御部１０２は、選択グループのスクロール後に即時的に他のグループの自動スクロールを実行するのではなく、例えばＯＫボタン５の押下による切替指示が行われたタイミングで（ステップＣ１２のＹＥＳ）、自動スクロールのための前述したステップＣ７〜ステップＣ１１の処理を実行する。
【００４５】
ところで、以上では、図４および図５で示した通り、選択グループの画像列の最上部に位置する画像を基準画像とし、選択グループ以外の他のグループの画像列をこの基準画像の撮影日時に揃えるように自動スクロールする例を説明したが、これに限らず、例えば図９および図１０に示すように、選択グループの画像列の最下部に位置する画像を基準としても良い。つまり、選択グループ「folder.02」の画像列を上下キー４ａの操作で２画像分下方向にスクロールさせた場合、表示制御部１０２は、基準画像が「picture.2-5」から「picture.2-3」へと切り替わったと認識する。そうすると、基準画像の撮影日時が２００５年４月８日から２００５年４月５日に切り替わったことになるので、表示制御部１０２は、選択グループ以外の他のグループの画像列の最下部に、この基準画像の撮影日時以前の撮影日時の縮小画像が位置するように自動スクロールを実行する。図９中、太線で囲まれた縮小画像が２００５年４月５日に撮影された画像であり、図１０は、この自動スクロール後の画面の表示例である。各グループの画像列は、グループ内の画像が巡回的に配列されるので、例えば「folder.04」のように、２００５年４月５日に撮影された画像が先頭の画像である場合には、最後尾の画像がその上段に表示されることになる。
【００４６】
また、図４および図５、図９および図１０に示したように、以上では、各グループの画像列を上下方向にスクロール可能に、複数グループの画像列を並べて配置する例を説明したが、これに限らず、例えば図１１および図１２に示すように、各グループの画像列を左右方向にスクロール可能に、複数グループの画像列を並べて配置しても良い。
【００４７】
図１１の状態において、選択グループ「folder.02」の画像列を左右キー４ｂの操作で１画面分左方向にスクロールさせた場合、表示制御部１０２は、基準画像が「picture.2-1」から「picture.2-2」に切り替わったと認識し、この基準画像の撮影日時である２００５年４月５日以降の撮影日時以降の縮小画像が最左部に位置するように、選択グループ以外の他のグループ以外の他のグループの画像列の自動スクロールを実行する。また、このように左右方向にスクロール可能とした場合も、基準画像を選択グループの画像列内の最右部に位置する縮小画像としても良い。さらに、各グループの画像列の表示方向や基準画像を上下または左右のいずれにするかを、メニューボタン８の押下により表示されるメニューに沿ってユーザが任意に設定できるようにしても良い。
【００４８】
また、前述したように、このカメラ１では、グループ管理部１０１の働きにより、画像保存メモリ１８に格納された撮影画像をフォルダ毎のほか、アルバム毎のグループ単位に取り扱うことができる。従って、図１３および図１４に示すように、前述の自動スクロールの手法は、アルバム毎の画像列を並べて表示する場合にも当然に適用可能である。つまり、図１３に示す状態において、選択グループ「Album3」の画像列を上下キー４ａの操作で撮影日時２００５年４月１日の「picture.1-6」から撮影日時２００５年４月５日の「picture.1-14」へと基準画像を切り替えると、選択グループ以外の他のグループの画像列の最上位に、２００５年４月５日以降の撮影日時の縮小画像が位置するように自動スクロールを実行する。図１３中、太線で囲まれた縮小画像が２００５年４月５日に撮影された画像であり、図１４は、この自動スクロール後の画面の表示例である。
【００４９】
このように、このカメラ１では、グループ管理された画像について、異なるグループに属する画像を簡単かつ効率良く対比表示させることができる。
【００５０】
なお、最近では、ＧＰＳ（global positioning system）を利用して現在位置の経緯度を簡単に取得できるので、撮影日時を基準とすることに代えて、各画像が撮影された場所の経緯度を基準とすることも可能である。これにより、例えば選択グループの画像を北から南へ見ていくのと同期させて、選択グループ以外の他のグループの画像も基準画像の撮影場所近辺のものとなるように自動スクロールさせること等も可能となる。
【００５１】
（第２実施形態）
次に、この発明の第２実施形態について説明する。図１５は、この発明の第２実施形態に係る表示制御装置の構成を示すブロック図である。この表示制御装置は、音楽再生装置として実現されている。
【００５２】
保存メモリ３１には、例えばジャケット画像、発表日時、演奏者等の属性データを含む圧縮符号化された音楽データがグループ単位で格納されている。この属性データは、表示処理部３２により曲リストとして複数グループ分並べて表示部２に一覧表示される。そして、このリスト中からいずれかが選択されると、その音楽データが保存メモリ３１から読み出されて音声伸長部３４によって再生され、バッファメモリ３５経由で音声出力部３６から音楽曲として出力される。
【００５３】
この音楽再生装置の動作は、ＣＰＵ３７によって統合的に制御されており、ＲＯＭ３８には、このＣＰＵ３７の制御手順を記述した各種プログラムや、これらのプログラムで使用される各種データが格納される。ＲＯＭ３８に格納されたプログラムを読み込んで実行制御するＣＰＵ３７が、グループ管理部２０１および表示制御部２０２に該当する。また、このＣＰＵ３７に対しては、操作部３９からの制御信号が供給される。
【００５４】
そして、この音楽再生装置は、音楽データの属性データを曲リストとして一覧表示し、操作部３９から縦スクロールを指示された場合、選択グループ以外の他のグループの曲リストも自動スクロールすべく表示制御を行う。図１６は、演奏者（Artist）別にグループ分けされた音楽データの曲リスト表示例であり、選択グループの「Artist2」の曲リストの最上部に位置する音楽データの発表日時を基準に、選択グループ以外の他のグループの曲リストを自動スクロールする。「Artist4」のグループは、その日時に該当する曲がないので、最も古い曲を先頭に表示させる。一方、図１７は、年代別にグループ分けされた音楽データの曲リスト表示例であり、選択グループの「７０年代ベストAlbum」の曲リストの最上部に位置する音楽データの演奏者の名前を基準に、（例えばアルファベット順に）選択グループ以外の他のグループの曲リストを自動スクロールする。
【００５５】
図１８及び図１９は、本音楽再生装置の表示制御に関する動作手順を示すフローチャートである。図１８には、グループ曲リスト表示処理のメインフローが示されている。
【００５６】
表示制御部２０２は、まず、スクロールの態様としての初期状態として、スクロール操作に応じて複数のグループの曲リストを均等にスクロールさせる全体スクロール処理を設定する（ステップＤ１）。次に、表示制御部２０２は、スクロール操作の対象をいずれかのグループに絞るグループ別移動に切換える指示が行われたかどうかを調べ（ステップＤ２）、行われていれば（ステップＤ２のＹＥＳ）、選択グループの画像列のみをスクロール操作に応じてスクロールさせるグループ別スクロール処理を実行する（ステップＤ５）。
【００５７】
一方、グループ別移動に切換える指示が行われていなければ（ステップＤ２のＮＯ）、表示制御部２０２は、続いて、スクロール操作対象となる選択グループのスクロールと連動させて他のグループを自動スクロールさせるグループ連動移動に切換える指示が行われたかどうかを調べ（ステップＤ４）、行われていなければ（ステップＤ４のＮＯ）、全体スクロール処理を継続する（ステップＤ３）。
【００５８】
そして、グループ連動移動に切換える指示が行われると（ステップＤ４のＹＥＳ）、表示制御部２０２は、図１９にその詳細な手順が示される連動スクロール処理を実行する（ステップＤ６）。
【００５９】
連動スクロール処理において、表示制御部２０２は、まず、例えば先頭から所定数のグループの曲リストを並べた初期表示を行い（ステップＥ１）、横スクロール操作が行われたら（ステップＥ２のＹＥＳ）、選択グループを変更する（ステップＥ３）。一方、縦スクロール操作が行われたら（ステップＥ４のＹＥＳ）、選択グループの曲リストについてのスクロールを実行する（ステップＥ５）。
【００６０】
この選択グループの画像列のスクロール後、表示制御部２０２は、現在の動作環境設定が自動切替になっているかどうかを調べ（ステップＥ６）、なっていれば（ステップＥ６のＹＥＳ）、続いて、他のグループの曲リストを自動スクロールするためのステップＥ７〜ステップＥ１５の処理を即時的に実行する。
【００６１】
この自動スクロールを行うために、表示制御部２０２は、まず、そのグループ分けが演奏者別および年代別のいずれで行われているかを調べ（ステップＥ７）、演奏者別であれば（ステップＥ７のＹＥＳ）、選択グループの曲リスト中で最上部に位置する基準音楽データ（基準曲）の発表日時を読み出し（ステップＥ８）、この日時を自動スクロールのための基準日時に決定する（ステップＥ９）。そして、表示制御部２０２は、この基準日時に基づいて他のグループで曲リストの表示対象とすべき音楽データを決定する（ステップＥ１０）。
【００６２】
一方、年代別のグループ分けが行われていれば（ステップＥ７のＮＯ）、表示制御部２０２は、選択グループの曲リスト中の基準音楽データ（基準曲）の演奏者を読み出し（ステップＥ１１）、この演奏者を自動スクロールのための基準名に決定して（ステップＥ１２）、他のグループで曲リストの表示対象とすべき音楽データを決定する（ステップＥ１３）。
【００６３】
そして、表示制御部２０２は、このように決定した音楽データの属性データを読み出して（ステップＥ１４）、この読み出した属性データ群からなる他のグループの曲リストを表示する（ステップＥ１５）。これにより、選択グループのスクロールに連動した他のグループの自動スクロールが実施されることになる。
【００６４】
一方、現在の動作環境設定が自動切替となっていなければ（ステップＥ６のＮＯ）、表示制御部１０２は、選択グループのスクロール後に即時的に他のグループの自動スクロールを実行するのではなく、ユーザによる切替指示操作が行われたタイミングで（ステップＥ１６のＹＥＳ）、自動スクロールのための前述したステップＥ７〜ステップＥ１５の処理を実行する。
【００６５】
以上のように、この音楽再生装置は、第１実施形態のカメラと同様、グループ管理された音楽曲について、異なるグループに属する音楽曲同士のリストを簡単かつ効率良く対比表示させることができる。
【００６６】
なお、第１実施形態のＣＰＵ１９または第２実施形態のＣＰＵ３７に対し上記機能を実行するソフトウェアのプログラムを供給し、ＣＰＵ１９またはＣＰＵ３７が、供給されたプログラムに従って上記動作させることにより上記実施の形態の機能を実現したものも、本発明の範疇に含まれる。つまり上記ソフトウェアのプログラム自体が上述した実施の形態の機能を実現することになり、そのプログラム自体は本発明を構成する。
【００６７】
また、これらのプログラムは第１実施形態のＲＯＭ２０または第２実施形態のＲＯＭ３８以外の記録媒体の形式で記憶され、そこから読み出されて実行されていても良い。更に、上記プログラムはカメラや音楽再生装置に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００６８】
また、専用通信ネットワークやインターネットに接続されたサーバシステムに設けたハードディスクまたはＲＡＭ等の格納装置を記録媒体として使用し、通信網を介してプログラムをカメラ１に提供してもよい。あるいは他のアプリケーションソフト等と協働して上述の実施の形態の機能が実現される場合にも、かかるプログラムが本発明の実施の態様に含まれることはいうまでもない。
【符号の説明】
【００６９】
１…デジタルカメラ、２…表示部、３…モードダイヤル、４…ＸＹ操作キー、４ａ…上下キー、４ｂ…左右キー、５…ＯＫキー、６…選択ボタン、７ａ…テレボタン、７ｂ…ワイドボタン、８…メニューボタン、９…レリースポタン、１１…レンズ、１２…撮像素子、１３…撮像部、１４…画像バッファメモリ、１５…画像処理部、１６…表示処理部、１７…圧縮伸長部、１８…画像保存メモリ、１９…ＣＰＵ、２０…ＲＯＭ、２１…操作部、３１…保存メモリ、３２バッファメモリ、３３表示処理部、３４…表示部、３５…音声圧縮伸長部、３６…音声出力部、３７…ＣＰＵ、３８…ＲＯＭ、３９…操作部、１０１…グループ管理部、１０２…表示制御部、２０１…グループ管理部、２０２…表示制御部。
【図１】
2010252386.tif 000003
【図２】
2010252386.tif 000004
【図３】
2010252386.tif 000005
【図４】
2010252386.tif 000006
【図５】
2010252386.tif 000007
【図６】
2010252386.tif 000008
【図７】
2010252386.tif 000009
【図８】
2010252386.tif 000010
【図９】
2010252386.tif 000011
【図１０】
2010252386.tif 000012
【図１１】
2010252386.tif 000013
【図１２】
2010252386.tif 000014
【図１３】
2010252386.tif 000015
【図１４】
2010252386.tif 000016
【図１５】
2010252386.tif 000017
【図１６】
2010252386.tif 000018
【図１７】
2010252386.tif 000019
【図１８】
2010252386.tif 000020
【図１９】
2010252386.tif 000021